(57)【要約】【課題】  霊柩車の後部開閉体から車内に納めた棺に対して、最後のお別れをするに際してのセレモニー効果を高めることができる霊柩車を提供する。【解決手段】  霊柩車１００において、屋根１０の前面部側１０Ａに設けた支点１１，１３に付設されて後面部側１０Ｂにわたって延設された支持体１４と、上記支持体１４の後部に連設されて車体１の背面開口部１０Ｃを閉塞する開閉体１５と、上記支持体の上面１４Ｃに付設された鳥等をモチーフする装飾体４０と、を具備したものである。【選択図】図１
0003104487.tif 000002
【実用新案登録請求の範囲】
【請求項１】
車体内の後部に棺の収納室を設けた霊柩車であって、屋根の前面部から後面部まで延設され屋根の前面部側を支点として後面部側を昇降可能に取り付けられた支持体と、上記支持体の後端部に連設され車体の背面開口部を閉塞する開閉体と、上記支持体の上面に付設され鳥等をモチーフとする装飾体と、を具備したことを特徴とする霊柩車。
【請求項２】
装飾体を支持体の上面に着脱自在に取り付けられ、所望の装飾体に交換可能としたことを特徴とする請求項１記載の霊柩車。
【請求項３】
支持体は駆動源として電動モータを備え、この回転力で油圧シリンダ又は伸縮棒を伸縮させて閉塞位置又は開口位置に駆動させるようにしたことを特徴とする請求項１又は２記載の霊柩車。
【考案の詳細な説明】
【技術分野】
【０００１】
本考案は死者を納めた棺を運搬する霊柩車に係り、特に、棺を霊柩車内に納めて最後のお別れをするに際し、セレモニーとしての演出効果を高めることができるようにしたものに関する。
【背景技術】
【０００２】
従来の霊柩車は、大型乗用車の後部に宮型と観音開きの後部ドアを設けたものや、ライトバンの後部に棺収納室を設けた上で後部にハッチバックのドアを設けたもの等が提供されている。上記霊柩車は、告別式を終えた死者を納めた棺を火葬場まで運搬することを目的としているために、霊柩車のドアは観音開きやハッチバックの型式のものに限定されている。
【考案の開示】
【考案が解決しようとする課題】
【０００３】
上記従来の霊柩車の構成によると次のような問題があった。上記霊柩車のドアは観音開きやハッチバックの型式に限定されていたために、告別式を終えた死者の棺は、最後のお別れをする際に霊柩車内に単純に収納してしまい、人々は霊柩車の外観のみのを見送るに止まっていた。このため、これ以上に霊柩車でのお別れの余裕がなく、充分なセレモニー効果が発揮され難いという問題がある。また、バン型の霊柩寝台車としては、流線型の車体であってもその後部に増設部を設けるなど簡単な改造で車体後部の室内横行面積を広く確保し、ドアパネルと柩等との衝突を防止できるようにしたものに過ぎない。（例えば、特許文献１参照。）。
【０００４】
【特許文献１】特許第２７９３７９４号公報
【０００５】
本考案はこのような点に基づいてなされたものでその目的とするところは、霊柩車の後部開閉体から車内に納めた棺に対して、最後のお別れをするに際してのセレモニー効果を高めることができる霊柩車を提供することにある。
【課題を解決するための手段】
【０００６】
上記目的を達成するべく本考案の請求項１による霊柩車は、車体内の後部に棺の収納室を設けた霊柩車であって、屋根の前面部から後面部まで延設され屋根の前面部側を支点として後面部側を昇降可能に取り付けられた支持体と、上記支持体の後端部に連設され車体の背面開口部を閉塞する開閉体と、上記支持体の上面に付設され鳥等をモチーフとする装飾体と、を具備したことを特徴とするものである。
【０００７】
上記本願考案による霊柩車の場合には、死者を納めた棺を霊柩車に搬入する出棺の際、車体の背面開口部を閉塞している開閉体を跳ね上げて開放された開口部から車内の収納室に棺が納められる。この最後のお別れのセレモニーの際に、開閉体に連設する支持体の上部には、鳥等、例えば、鶴をモチーフにした装飾体を付設したから、鶴が舞い降りて死者を迎えるというような演出効果を発揮でき、支持体の昇降操作に伴う開閉体の開閉動作に伴って、棺が装飾体の体内に収納されて運ばれて行くようなセレモニーとしての演出効果が得られる。
【０００８】
また、本願考案による霊柩車において、装飾体を支持体の上面に着脱自在に取り付け、所望の装飾体に交換可能とした場合には、鶴、白鳥等の鳥を代表とする動物や、鳳凰・龍等の架空上の生物や、花・船・飛行機等をモチーフにした装飾体のうちから、死者の生前の趣味や嗜好に合わせた装飾体を選択して霊柩車の屋根を飾ることができ、これにより、死者の生前の趣味を想起させたり、その面影を醸しだす演出効果が発揮でき、また、支持体の昇降操作に伴う開閉体の開閉動作に伴って、棺が死者の生前の趣味や嗜好に合った装飾体の体内に収納されて運ばれて行くようなセレモニーとしての演出効果が得られる。
【０００９】
また、本願考案による霊柩車において、支持体に駆動源として電動モータを備え、この回転力で油圧シリンダ又は伸縮棒を伸縮させて閉塞位置又は開口位置に駆動させるようにした場合には、上記支持体を容易且つ的確に開閉操作することができる。
【考案の効果】
【００１０】
本考案の霊柩車によると、告別式を終えて車内に納められた死者の棺に対し、お別れのセレモニーとしての演出効果が得られる。特に、所望の装飾体に交換可能とした場合には支持体の上面に備えた装飾体により、死者の生前の面影を醸し出し、棺が装飾体の中に収納されて運ばれて行くようなセレモニーとしての演出効果を一層高めることができる。また、開閉機構を電動とすることにより支持体及びこの後端部に連設された開閉体を容易且つ的確に開閉操作できる。
【考案を実施するための最良の形態】
【００１１】
以下、図１乃至図５を参照して本考案の第１の実施の形態を説明する。図１は本実施の形態による霊柩車の斜視図、図２は側面図、図３は霊柩車の断面図、図４は支持体及び開閉体の背面斜視図、図５はその作用断面図である。本考案の霊柩車１００は、大型乗用車の屋根１０と背面の開口部１０Ｃを改造したものであり、車体１内の後部１Ａに棺３の収納室５を設けたものである。上記車体の屋根１０の前面部側１０Ａに一対の支点１１，１３が設置されている。この支点１１，１３の固定側は屋根１０に付設され、支点１１，１３の可動側に支持体１４がその前面部側１４Ａを枢着されている。そして、支点１１，１３を中心として支持体１４の後面部側１４Ｂを昇降可能に保持するリンク機構Ｌ１、Ｌ２が設けられている。上記支持体１４の後端部１４Ｂには、車体背面の開口部１０Ｃを閉塞する開閉体１５がその上端縁を連設されている。これにより、開閉体１５は、支持体１４を昇降操作することにより、開口部１０Ｃの閉塞位置（Ａ）に下降され、又は１５´で示す開口位置（Ｂ）に上昇される。
【００１２】
上記支持体１４の後端部側１４Ｂと、開口部１０Ｃの両外側における車体１外壁の間に、支持体１４および開閉体１５の重力均衡をはかる２本のバランスシリンダＢＣが装着されている。上記バランスシリンダＢＣは、本体側を車体１外壁面に枢支し、伸縮するロッドＲ１，Ｒ２側を支持体１４の後端部１４Ｂ付近の両端に枢支されている。上記バランスシリンダＢＣにより、開閉体１５の開閉操作は作業者の手作業により軽快にでき、且つ、任意な開閉位置に保持される。尚、上記開口部１０Ｃの周囲縁１０Ｄと開閉体１５の周囲縁１５Ａには、防水ゴム帯Ｇ１，Ｇ２がそれぞれ付設されている。
【００１３】
更に、上記支持体１４の上面１４Ｃに装飾体４０が取り付けられている。この装飾体４０は鶴の外観の模型として形成されたものである。鶴４０は、前に伸びた首部４０Ａと、胴体部４０Ｂと，両側に拡げた翼部４０Ｃと、後方に伸ばした尾部４０Ｄからなる。そして、鶴４０の胴体部４０Ｂの底部の複数箇所（例えば前後２ヶ所）に設けた取付部４０Ｅ，４０Ｆを、支持体１４の上面１４Ｃに設けた複数箇所（例えば前後２ヶ所）の取付座１４Ｅ，１４Ｆにボルト等の締結手段により着脱自在に取り付けられている。
【００１４】
しかして、上記鶴４０の胴体部４０Ｂを支持体１４の上面１４Ｃに取り付けると、首部４０Ａが運転席のフロントガラス上に位置し、両側に拡げた翼部４０Ｃが車体１の左右両側を覆い、後方に伸ばした尾部４０Ｄが車体の後部上に位置し、ちょうど、鶴４０が霊柩車１００の屋根１０に舞い降りた姿若しくは羽ばたいている姿を醸し出すようになっている。尚、上記装飾体４０は、予め決められた例えば鶴を付設したものとすることもできるが、死者の生前の趣味・嗜好に応じて、種々のものを交換して取り付けることもできる。例えば、白鳥などの鳥や、鳳凰、龍などの架空の生物や、花、船、飛行機等のものが考えられ、これらを上記の装飾体４０の胴体部４０Ｂの底部に設けた取付部４０Ｅ，４０Ｆを、支持体１４の上面１４Ｃに設けた取付座１４Ｅ，１４Ｆにボルト等の締結手段により適宜交換して取り付けるようにしている。尚、車体１の後部１Ａの両側壁面はそのまま残されており、ここに一乃至複数個のガラス窓１Ｇが設けられている。尚、この部分は、全面をガラス張りとして、車体１内の棺の視認性を高めた構成としても良い。更に、窓無しとして、車体外側に生花を飾り付けたり、車内に造花を飾り付けても良い。こればオプションとして任意に形成される。
【００１５】
以上の構成を基にその作用を説明する。まず、棺を収納する場合には、霊柩車１００における支持体１４及びこの後端部１４Ｂに連設する開閉体１５を手動操作により操作し、車体後部の開口部１０Ｃを閉塞している閉塞位置（Ａ）から開口位置（Ｂ）まで大きく跳ね上げて開ける。この開閉体１５は、１５´で示した開口位置（Ｂ）に、バランスシリンダＢＣによって保持されている。ここで、死者を納めた棺３は、開放された開口部１０Ｃから車内の収納室５に搬入される。この後、開閉体１５を手操作により下降して開口部１０Ｃを閉じる。この一連の動作は同時に最後のお別れの儀式でもあり、この儀式に際し、霊柩車１００における支持体１４の上部には、装飾体としての鶴４０が装備されている。この装飾体としての鶴４０により、死者の生前の面影を醸し出し、セレモニーとしての演出効果がより一層に高められる。即ち、開閉体１５を手操作により上昇させると、鶴４０が舞い降りて死者を迎えるというような演出効果を発揮でき、開閉体１５を手操作により下降させると、棺３が鶴４０の体内に収納されて運ばれて行くような演出効果が発揮される。支持体１４の昇降操作に伴う開閉体の開閉動作にともなって、棺が装飾体４０の体内に収納されて運ばれて行くようなセレモニーとしての演出効果が得られる。
【００１６】
尚、装飾体４０を支持体１４の上面から着脱可能とした場合には、死者の生前の趣味や嗜好に合わせた装飾体４０として、白鳥等の鳥を代表とする動物や鳳凰・龍等の架空の生物やその人の干支に合わせた動物・好みの花や生前の趣味としていた船・飛行機等、種々のものと交換可能となり、故人の生前の趣味や嗜好に合わせた装飾体を選択して霊柩車の屋根を飾ることができる。これにより、死者の生前の趣味を想起させたり、その面影を醸しだす演出効果が発揮でき、また、支持体１４の昇降操作に伴う開閉体１５の開閉動作に伴って、棺３が好みの装飾体４０の体内に収納されて運ばれて行くようなセレモニーとしての演出効果が得られる。
【００１７】
上記本実施の形態によると次のような効果を奏することができる。まず、告別式を終えて車内に納められた死者の棺に対し、お別れのセレモニーとしての演出効果が演出できる。特に、支持体１４の上面に備えた装飾体４０により死者の生前の面影を醸し出し、棺３が開閉体１５の昇降と連動して昇降する装飾体により、この装飾体の中に収納されて運ばれて行くようなセレモニーとしての演出効果を一層高めることができる。また、バランスシリンダＢＣにより支持体１４及びこの後端部に連設された開閉体１５を軽快に開閉操作ができる。
【００１８】
次に、図６を参照して本考案の第２実施の形態を説明する。このものは、支持体１４又は開閉体１５を積極的に作動させる開閉手段２０を設置したものである。開閉手段２０としては、電動モータＭ１で２本の油圧シリンダＯＣのロッドＲ３，Ｒ４を伸縮させて開閉体１５を閉塞位置（Ａ）と開口位置（Ｂ）に駆動させる構成としたものがある。この場合にも、上記第１実施の形態と同様な作用・効果が得られるとともに、この電動モータＭ１で油圧シリンダＯＣのロッドＲ３，Ｒ４を伸縮させる方式により、支持体１４及びこの後端部に連設された開閉体１５を容易、且つ、的確に開閉操作できる。
【００１９】
また、図７に示す第３実施の形態のように、開閉手段２０として、２つの電動モータＭ１で各伸縮棒ＳＳを伸縮させて開閉体１５を閉塞位置（Ａ）と開口位置（Ｂ）に駆動させる構成としても良い。この電動モータＭ１で伸縮棒ＳＳを伸縮させる構成は、例えば電動モータにより低速高トルクで回転するピニオンＰをラックＲを刻設した伸縮棒ＳＳと噛合わせるものである。この場合にも、上記第１実施の形態と同様な作用・効果が得られるとともに、この電動モータＭ１で２つの伸縮棒ＳＳを伸縮させる方式により、支持体１４及びこの後端部に連設された開閉体１５を容易、且つ、的確に開閉操作できる。
【００２０】
尚、本考案は上記第１〜３の実施の形態に限定されるものではない。例えば、支持体を昇降させる手段としては、その前面部側をヒンジで屋根の前面部側に取り付けるようにしても良い。
【産業上の利用可能性】
【００２１】
本考案は、死者の棺を運搬する霊柩車を例に挙げて説明したが、例えば、動物を納めた棺の運搬用にも適用可能である。
【図面の簡単な説明】
【００２２】
【図１】本考案の第１の実施の形態を示し、霊柩車の斜視図である。
【図２】本考案の第１の実施の形態を示し、霊柩車の側面図である。
【図３】本考案の第１の実施の形態を示し、霊柩車の断面図である。
【図４】本考案の第１の実施の形態を示し、霊柩車の背面斜視図である。
【図５】本考案の第１の実施の形態を示し、霊柩車の作用断面図である。
【図６】本考案の第２の実施の形態を示し、霊柩車の断面図である。
【図７】本考案の第３の実施の形態を示し、霊柩車の断面図である。
【符号の説明】
【００２３】
１              車体
１Ａ            後部
１Ｇ            ガラス窓
３              棺
５              収納室
１０            屋根
１０Ａ          前面部
１０Ｂ          後面部
１０Ｃ          開口部
１０Ｄ          周囲縁
１１，１３      支点
１４            支持体
１４Ａ          前端部側
１４Ｂ          後端部側
１４Ｃ          上面部
１４Ｅ，１４Ｆ  取付座
１５，１５´    開閉体
１５Ａ          周囲縁
２０            開閉手段
４０            装飾体（鶴）
４０Ａ          首部
４０Ｂ          胴体部
４０Ｃ          翼部
４０Ｄ          尾部
４０Ｅ，４０Ｆ  取付部
１００          霊柩車
（Ａ）          閉塞位置
（Ｂ）          開口位置
ＢＣ            バランスシリンダ
Ｇ１，Ｇ２      防水ゴム帯
Ｌ２，Ｌ２      リンク機構
Ｍ１            電動モータ
ＯＣ            油圧シリンダ
Ｒ１〜Ｒ４      ロッド
ＳＳ            伸縮棒
Ｐ              ピニオン
Ｒ              ラック
【図１】
0003104487.tif 000003
【図２】
0003104487.tif 000004
【図３】
0003104487.tif 000005
【図４】
0003104487.tif 000006
【図５】
0003104487.tif 000007
【図６】
0003104487.tif 000008
【図７】
0003104487.tif 000009